(57)【要約】【課題】加熱調理器具から煙等が大量に発生している時は、効率よく集煙又は集気できるとともに、加熱調理器具から煙等が大量に発生していない時は、視界が必要以上に遮られることがないフードを提供すること。【解決手段】本発明のフード１は、卓上の加熱調理器具の上方に配設される垂下管の下部に取り付けられるフード１であって、フード１の下端の開口が拡大収縮自在になっている。フード１は、垂下管１０の下部に着脱自在となっている支持体２と、支持体の下端の周縁に沿って略等間隔に設けられている複数の湾曲した翼片３とを有し、各翼片３の基部が支持体２に支持されるとともに、各翼片３が両隣の翼片３と重なり合い、各翼片３の一部でフード１の下端の開口を形成し、各翼片３の下端部が開閉自在となっている。【選択図】  図１
2010139106.tif 000002
【特許請求の範囲】
【請求項１】
卓上の加熱調理器具の上方に配設される垂下管の下部に取り付けられるフードであって、フードの下端の開口が拡大収縮自在になっていることを特徴とするフード。
【請求項２】
フードは、垂下管の下部に着脱自在となっている支持体と、支持体の下端の周縁に沿って略等間隔に設けられている複数の湾曲した翼片とを有し、各翼片の基部が支持体に支持されるとともに、各翼片が両隣の翼片と重なり合い、各翼片の一部でフードの下端の開口を形成し、各翼片の下端部が開閉自在となっていることを特徴とする請求項１に記載のフード。
【請求項３】
フードは、翼片の下端部を所定の開閉位置で維持するストッパを有することを特徴とする請求項２に記載のフード。
【請求項４】
ストッパは、所定の翼片に設けられており、隣の翼片の一部と当接して隣の翼片の開閉を制限する突起又は窪みであることを特徴とする請求項３に記載のフード。
【請求項５】
フードは、フードと組み合わせて使用するカップ状のフィルタが、長軸周りに回転することを防止する回転防止手段を備えることを特徴とする請求項１乃至４のいずれかに記載のフード。
【発明の詳細な説明】
【技術分野】
【０００１】
本発明は、卓上の加熱調理器具の上方に設けられた排煙又は排気装置に取り付けられるフードに関する。
【背景技術】
【０００２】
従来、卓上の加熱調理器具の上方に設けられた排煙又は排気装置の下端には、効率よく集煙又は集気するために、傘型のフードが設けられている。
【０００３】
例えば、肉や魚介類等を焼くロースターに取り付けられる排煙装置として、特許文献１に示すものがある。特許文献１の排煙装置は、食卓の情報に設置され卓上で発生する煙を集めるフードを有している。
【特許文献１】特開２００１−３４３１４１
【発明の開示】
【発明が解決しようとする課題】
【０００４】
しかしながら、排気装置の傘型のフードは、大きいと効率よく集煙又は集気できる反面、
フードによって卓を囲んで座る人々の視界が必要以上に遮られるという問題があった。一方、傘型のフードが小さいと、フードによって卓を囲んで座る人々の視界が必要以上に遮られることはない反面、集煙又は集気が不十分となり、排煙又は排気を効率よく行うために卓上の気流を制御する必要があるといった問題があった。
【０００５】
上記点より本発明は、加熱調理器具から煙等が大量に発生している時は、効率よく集煙又は集気できるとともに、加熱調理器具から煙等が大量に発生していない時は、視界が必要以上に遮られることがないフードを提供することを目的とする。
【課題を解決するための手段】
【０００６】
請求項１のフードは、卓上の加熱調理器具の上方に配設される垂下管の下部に取り付けられるフードであって、フードの下端の開口が拡大収縮自在になっている。
【０００７】
請求項２のフードは、垂下管の下部に着脱自在となっている支持体と、支持体の下端の周縁に沿って略等間隔に設けられている複数の湾曲した翼片とを有し、各翼片の基部が支持体に支持されるとともに、各翼片が両隣の翼片と重なり合い各翼片の一部でフードの下端の開口を形成し、各翼片の下端部が開閉自在となっている。
【０００８】
請求項３のフードは、翼片の下端部を所定の開閉位置で維持するストッパを有する。
【０００９】
請求項４のフードは、ストッパが所定の翼片に設けられており、隣の翼片の一部と当接して隣の翼片の開閉を制限する突起又は窪みである。
【００１０】
請求項５のフードは、フードは、フードと組み合わせて使用するカップ状のフィルタが、長軸周りに回転することを防止する回転防止手段を備える。
【発明の効果】
【００１１】
請求項１のフードによれば、フードの下端の開口が拡大収縮自在になっていることによって、加熱調理器具から煙等が大量に発生している時は、開口を大きく広げ効率よく集煙又は集気できるとともに、加熱調理器具から煙等が大量に発生していない時は、開口を小さく狭めフードによって卓を囲んで座る人々の視界が必要以上に遮られないようになっている。
【００１２】
請求項２のフードによれば、フードが請求項２のような構成となっているので、一枚の翼片を動かすと、すべての翼片が連動して動くようになっている。したがって、一枚の翼片を動かすことによって、フードの下端の開口の拡大収縮を容易に行うことができる。
【００１３】
請求項３のフードによれば、翼片の下端部を所定の開閉位置で維持するストッパを有することによって、所定の開口の大きさを保つことができる。
【００１４】
請求項４のフードによれば、突起又は窪みが隣の翼片の一部と当接しているときは、翼片の開閉を制限され、所定の開口の大きさを保つことができる。所定の翼片を隣の翼片に対してずらし、突起又は窪みと隣の翼片の一部との当接を解除することによって、開口の拡大収縮を再び行うことができる。
【００１５】
請求項５のフードによれば、フードは、フードと組み合わせて使用するカップ状のフィルタが、長軸周りに回転することを防止する回転防止手段を備えることによって、排煙又は排気中にフィルタが長軸周りに回転することによる異音及び振動の発生を防止することができる。
【発明を実施するための最良の形態】
【００１６】
以下、本発明の一実施形態について図面に基づいて説明する。図１は、本発明の一実施形態のフード１、フード１を取り付ける垂下管１０及びフード１の内部に取付可能なカップ状のフィルタ１１を示す分解斜視図である。図２は、フード１の下端の開口が拡大した状態を示す拡大断面図である。図３は、フード１の下端の開口が収縮した状態を示す拡大断面図である。図４は、支持部２２の平面図である。図５は、翼片３の平面図である。
【００１７】
図１に示すように、本実施形態のフード１は、卓上の加熱調理器具の上方に配設される垂下管１０の下部に取り付けられるようになっている。フード１は、垂下管１０の下部に着脱自在となっている支持体２と、支持体２の下端の周縁に沿って略等間隔に設けられている複数の湾曲した翼片３とを有する。
【００１８】
図５の翼片３では、上側が基部、下側が下端部となっている。図１〜図３に示すように、各翼片３の基部が支持体２に支持されるとともに、各翼片３が両隣の翼片と重なり合い、各翼片３の一部でフード１の下端の開口を形成し、各翼片３の下端部が開閉自在となっている。各翼片３の一部で形成されるフード１の下端の開口は、図２及び図３に示すように拡大収縮自在となっている。
【００１９】
各翼片３の一部で形成されるフード１の下端の開口が拡大収縮自在になっていることによって、加熱調理器具から煙等が大量に発生している時は、開口を大きく広げ効率よく集煙又は集気できるとともに、加熱調理器具から煙等が大量に発生していない時は、開口を小さく狭めフード１によって卓を囲んで座る人々の視界が必要以上に遮られないようになっている。
【００２０】
各翼片３の基部が支持体２に支持されるとともに、各翼片３が両隣の翼片３と重なり合い、各翼片３の一部でフード１の下端の開口を形成しているので、一枚の翼片３を動かすと、すべての翼片３が連動して動くようになっている。したがって、一枚の翼片３を動かすことによって、フード１の下端の開口の拡大収縮を容易に行うことができる。
【００２１】
支持体２は、ポリテトラフルオロエチレンなどのフッ素樹脂を用いた加工（以下「フッ素樹脂加工」という。）が施された金属からなり、円筒部２０と、円筒部２０の下端からスカート状に広がるスカート部２１と、スカート部２１の下端に固定された枠体２２とを有する。
【００２２】
図１〜図３に示すように、円筒部２０の周側面の内側には、支持体２を垂下管１０の下部の嵌合溝１０ａに嵌入する嵌合突起２３が設けられている。
【００２３】
図４に示すように、枠体２２は、フッ素樹脂加工が施された金属の円形リングからなり、図１のフィルタ１１が枠体２２のリング中心の中心口に挿入され、フィルタ１１のフランジ部１１ａが枠体２２に支持されるようになっている。
【００２４】
枠体２２は、後述する翼片３の挿入片３１が挿入される基部挿入孔２２ａと、後述する翼片３の懸架孔３２に挿入して翼片３を懸架する被懸架片２２ｂと、煙や気体等が通過する気孔２２ｃが設けられている。
【００２５】
基部挿入孔２２ａは、略矩形の穴であり、枠体２２の周縁に沿って所定間隔で設けられている。図２〜図４に示すように、被懸架片２２ｂは、基部挿入孔２２ａの円形リングの中心側の一辺から円形リングの周縁に向って延出するとともに、先端が斜め上方に向って立ち上がる形状となっている。
【００２６】
翼片３は、フッ素樹脂加工が施された金属からなり、図２及び図３の翼片３の断面に示すように、基部から下端部にかけて湾曲している。翼片３の基部側には、前述の基部挿入孔２２ａに挿入される挿入片３１が延出している。
【００２７】
翼片３の挿入片３１が延出する根元近傍には、略矩形の懸架孔３２が設けられている。翼片３の挿入片３１が枠体２２の基部挿入孔２２ａに挿入された状態で、枠体２２の被懸架片２２ｂに翼片３の懸架孔３２を懸架することによって、枠体２２に翼片３の下端部が開閉自在に支持されるようになっている。
【００２８】
フード１は、翼片３の下端部を所定の開閉位置で維持するストッパを有する。ストッパは、複数の翼片３のうち所定の一枚の翼片３の表面に形成された突起３３からなる。図１に示すように、フード１の開口を開いた状態で、所定の一枚の翼片３の表面に形成された突起３３が隣の突起が隣の翼片３の一部と当接して隣の翼片３の開閉を制限するようになっている。
【００２９】
翼片３は重なり合っているので、一枚の翼片３の開閉が制限されると、すべての翼片３の開閉が制限される。したがって、下端部を所定の開閉位置で維持することができるので、所定の開口の大きさを保つことができる。
【００３０】
また、所定の翼片３を隣の翼片３に対して離間するようにずらし、突起３３と隣の翼片３の一部との当接を解除することによって、一枚の翼片３の開閉の制限が解除され、すべての翼片３の開閉の制限も解除された状態になる。したがって、翼片３の開閉を行い、開口の拡大収縮を再び行うことができる。
【００３１】
フード１は、フード１と組み合わせて使用するカップ状のフィルタ１１が、長軸周りに回転することを防止する回転防止手段を備える。図２〜４に示すように、回転防止手段は、枠体２２から上方に向って突出する回転防止突起２２ｄからなる。図１に示すフィルタ１１のフランジ部１１ａの切欠１１ｂが、枠体２２の回転防止突起２２ｄと嵌合することによって、カップ状のフィルタ１１が、長軸周りに回転することを防止できるようになっている。
【００３２】
カップ状のフィルタ１１が、長軸周りに回転することを防止することによって、排煙又は排気中にフィルタ１１が長軸周りに回転することによる異音及び振動の発生を防止することができる。
【００３３】
本実施形態では、枠体２２の基部挿入孔２２ａ及び被懸架片２２ｂ、並びに翼片３の挿入片３１及び懸架孔３２によって、枠体２２に翼片３の下端部が開閉自在に支持されるようになっている場合について説明したが、これに限定されることなく、例えば、蝶番等の別の開閉手段によって、枠体２２に翼片３の下端部が開閉自在に支持されていてもよい。
【００３４】
本実施形態では、ストッパが突起の場合について説明したが、これに限定されることなく、例えば、ストッパが所定の一枚の翼片３の表面に形成された窪みであってもよい。
【００３５】
本実施形態では、翼片３にストッパの突起３３が一つ設けられ、開口部の開閉が２段階の場合について説明したが、これに限定されることなく、翼片３にストッパの突起が複数設けられ、開口部の開閉が３段階以上にしてもよい。
【図面の簡単な説明】
【００３６】
【図１】本発明の一実施形態のフード１、フード１を取り付ける垂下管１０及びフード１の内部に取付可能なフィルタ１１を示す分解斜視図である。
【図２】フード１の下端の開口が拡大した状態を示す拡大断面図である。
【図３】フード１の下端の開口が収縮した状態を示す拡大断面図である。
【図４】底板２２の平面図である。
【図５】翼片３の平面図である。
【符号の説明】
【００３７】
１      フード
２      支持体
３      翼片
１０    垂下管
１１    フィルタ
１１ａ  フランジ部
１１ｂ  切欠
２０    円筒部
２１    スカート部
２２    枠体
２２ａ  基部挿入孔
２２ｂ  被懸架片
２２ｃ  気孔
２２ｄ  回転防止突起
２３    嵌合突起
３１    挿入片
３２    懸架孔
３３    突起
【図１】
2010139106.tif 000003
【図２】
2010139106.tif 000004
【図３】
2010139106.tif 000005
【図４】
2010139106.tif 000006
【図５】
2010139106.tif 000007